(57)【特許請求の範囲】
【請求項１】
出入管理を行う出入口付近に解錠装置を有して設置され、個人識別のための照合データを入力する照合データ入力装置と、
出入りを許可されている者の一または二以上の前記照合データを予め記憶データとして登録してある二以上の照合装置と、
を備え、
前記照合データ入力装置から入力された照合データと前記照合装置の記憶データとを照合することにより個人を識別し出入管理を行う出入管理システムにおいて、
前記照合装置のうち一の照合装置は、マスタ照合装置として設定され、他の照合装置は、当該マスタ照合装置の記憶容量を超えて存在する記憶データを記憶するスレーブ照合装置として設定され、
前記マスタ照合装置は、前記照合データ入力装置から入力された前記照合データと前記記憶データとを照合し、当該照合データと当該記憶データとが一致したときには、当該照合データ入力装置に解錠許可信号を送信し、当該照合データと当該記憶データとが一致しなかったときには、前記スレーブ照合装置から前記照合データ入力装置に解錠許可信号が送信されていないことを確認して当該照合データ入力装置に不解錠信号を送信し、
前記スレーブ照合装置は、前記照合データ入力装置から入力された前記照合データと前記記憶データとを照合し、当該照合データと当該記憶データとが一致したときには、当該照合データ入力装置に解錠許可信号を送信するようにしたことを特徴とする出入管理システム。
【請求項２】
出入管理を行う出入口付近に解錠装置を有して設置され、個人識別のための照合データを入力する照合データ入力装置と、
出入りを許可されている者の一または二以上の前記照合データを予め記憶データとして登録してある二以上の照合装置と、
少なくとも警備状態と警備解除状態に切り換える警備切換手段を有する警備制御装置と、
を備え、
前記照合データ入力装置から入力された照合データと前記照合装置の記憶データとを照合することにより個人を識別し出入管理を行う出入管理システムにおいて、
前記照合装置のうち一の照合装置は、マスタ照合装置として設定され、他の照合装置は、当該マスタ照合装置の記憶容量を超えて存在する記憶データを記憶するスレーブ照合装置として設定され、
前記マスタ照合装置は、前記警備制御装置が警備状態に設定されているときに前記照合データ入力装置から前記照合データが入力されると、当該照合データ入力装置に解錠不可信号を送信し、
前記警備制御装置が警備状態に設定されていないときに前記照合データ入力装置から前記照合データが入力されると、当該照合データと前記記憶データとを照合し、当該照合データと当該記憶データとが一致したときには、当該照合データ入力装置に解錠許可信号を送信し、当該照合データと当該記憶データとが一致しなかったときには、前記スレーブ照合装置から前記照合データ入力装置に解錠許可信号が送信されていないことを確認して当該照合データ入力装置に不解錠信号を送信し、
前記スレーブ照合装置は、前記警備制御装置が警備状態に設定されていないときに前記照合データ入力装置から前記照合データが入力されると、当該照合データと前記記憶データとを照合し、当該照合データと当該記憶データとが一致したときには、当該照合データ入力装置に解錠許可信号を送信するようにしたことを特徴とする出入管理システム。
【請求項３】
照合データは、出入者の有する磁気カード、非接触カード等のＩＤデータと、指紋、網膜パターン等の生体特徴データのうち、一つのデータまたはこれらの任意の組合せのデータからなることを特徴とする請求項１または２に記載の出入管理システム。
【発明の詳細な説明】
【０００１】
【発明の属する技術分野】
この発明は、出入管理システムに関し、特に、ＩＤカードや指紋等の生体特徴を利用して出入管理を行う出入管理システムに関する。
【０００２】
【従来の技術】
一般の人の出入りを制限したい場所等においてその出入りを管理するために、出入管理システムが広く利用されている。この出入管理システムは、個人識別手段として、磁気カード、非接触カードなどのＩＤカードや、指紋や網膜パターン等の生体特徴を利用していることが多い。かかるＩＤカード等のデータは、出入りの際に所定の入力手段から入力され、予め照合装置に登録されている記憶データと照合されて個人識別を行い、出入りを制限すべきか否かが判断される。
【０００３】
【発明が解決しようとする課題】
しかしながら、従来の出入管理システムは、照合装置の記憶データの可能登録数は予め定まっているため、登録数が増加して照合装置の可能登録数を超えると、可能登録数の多い照合装置に換えねばならないという課題があった。
【０００４】
たとえば、出入管理システムを使用する企業規模にもよるが、部署移動や途中退社・入社等の繰り返しにより、上記登録数として延べ５０００程度になる場合が多いことが知られている。このような状況において、過去に一度登録されたコードは、利用者の都合により登録抹消されたとしても、セキュリティ確保の観点から、同一コードを別の利用者に割り当てることができず、結局、登録数が増加の一途をたどってしまっていた。
【０００５】
また、照合装置のメモリユニットを増設することで、上記課題にある程度は対応できるものの、その増設可能量にも制限があるため、大幅な登録数の増加には対応しきれないという課題があった。
【０００６】
この発明は、上記に鑑みてなされたものであって、照合装置間にマスタ／スレーブ関係を作ることで照合装置の複数接続を可能にし、記憶データが増加しても、従来の装置を用いたまま可能登録数を増やすことができる出入管理システムを得ることを目的とする。
【０００７】
【課題を解決するための手段】
上述した課題を解決し、目的を達成するために、この発明にかかる出入管理システムは、出入管理を行う出入口付近に解錠装置を有して設置され、個人識別のための照合データを入力する照合データ入力装置と、出入りを許可されている者の一または二以上の前記照合データを予め記憶データとして登録してある二以上の照合装置とを備え、前記照合データ入力装置から入力された照合データと前記照合装置の記憶データとを照合することにより個人を識別し出入管理を行う出入管理システムにおいて、前記照合装置のうち一の照合装置は、マスタ照合装置として設定され、他の照合装置は、当該マスタ照合装置の記憶容量を超えて存在する記憶データを記憶するスレーブ照合装置として設定され、前記マスタ照合装置は、前記照合データ入力装置から入力された前記照合データと前記記憶データとを照合し、当該照合データと当該記憶データとが一致したときには、当該照合データ入力装置に解錠許可信号を送信し、当該照合データと当該記憶データとが一致しなかったときには、前記スレーブ照合装置から前記照合データ入力装置に解錠許可信号が送信されていないことを確認して当該照合データ入力装置に不解錠信号を送信し、前記スレーブ照合装置は、前記照合データ入力装置から入力された前記照合データと前記記憶データとを照合し、当該照合データと当該記憶データとが一致したときには、当該照合データ入力装置に解錠許可信号を送信するようにしたものである。
【０００８】
したがって、照合装置間にマスタ／スレーブ関係を作り、照合データ入力装置とバス接続（たとえば、ＲＳ−４８５のバス接続）することで照合装置の複数接続を可能にでき、記憶データの数が増加しても、従来の装置を用いたまま可能登録数を増やすことができる。
【０００９】
また、新たにスレーブ照合装置を追加する場合も、照合データ入力装置との間をバス接続すればよく、マスタ照合装置とスレーブ照合装置間には配線を必要としないため、配線工事の煩雑さを軽減することができる。
【００１０】
また、つぎの発明にかかる出入管理システムは、出入管理を行う出入口付近に解錠装置を有して設置され、個人識別のための照合データを入力する照合データ入力装置と、出入りを許可されている者の一または二以上の前記照合データを予め記憶データとして登録してある二以上の照合装置と、少なくとも警備状態と警備解除状態に切り換える警備切換手段を有する警備制御装置とを備え、前記照合データ入力装置から入力された照合データと前記照合装置の記憶データとを照合することにより個人を識別し出入管理を行う出入管理システムにおいて、前記照合装置のうち一の照合装置は、マスタ照合装置として設定され、他の照合装置は、当該マスタ照合装置の記憶容量を超えて存在する記憶データを記憶するスレーブ照合装置として設定され、前記マスタ照合装置は、前記警備制御装置が警備状態に設定されているときに前記照合データ入力装置から前記照合データが入力されると、当該照合データ入力装置に解錠不可信号を送信し、前記警備制御装置が警備状態に設定されていないときに前記照合データ入力装置から前記照合データが入力されると、当該照合データと前記記憶データとを照合し、当該照合データと当該記憶データとが一致したときには、当該照合データ入力装置に解錠許可信号を送信し、当該照合データと当該記憶データとが一致しなかったときには、前記スレーブ照合装置から前記照合データ入力装置に解錠許可信号が送信されていないことを確認して当該照合データ入力装置に不解錠信号を送信し、前記スレーブ照合装置は、前記警備制御装置が警備状態に設定されていないときに前記照合データ入力装置から前記照合データが入力されると、当該照合データと前記記憶データとを照合し、当該照合データと当該記憶データとが一致したときには、当該照合データ入力装置に解錠許可信号を送信するようにしたものである。
【００１１】
これにより、マスタ照合装置およびスレーブ照合装置を警備制御装置と接続することで、警備状態に連動した出入管理を行うことが可能となり、更に確実に出入管理を行うことができる。
【００１２】
また、つぎの発明にかかる出入管理システムは、照合データは、出入者の有する磁気カード、非接触カード等のＩＤデータと、指紋、網膜パターン等の生体特徴データのうち、一つのデータまたはこれらの任意の組合せのデータからなるものである。これにより、セキュリティレベルに応じた出入管理システムを容易に構成できる。
【００１３】
【発明の実施の形態】
以下、この発明にかかる出入管理システムの実施の形態を図面に基づいて詳細に説明する。なお、この実施の形態によりこの発明が限定されるものではない。
【００１４】
個人識別方法として磁気カードを用いた場合を例にして以下に説明する。図１は、この発明の実施の形態にかかる出入管理システムを示すブロック図、図２は、カードリーダの動作を示すフローチャート、図３は、照合装置（マスタ）の動作を示すフローチャート、図４は、照合装置（スレーブ）の動作を示すフローチャートである。
【００１５】
図１に示すように、本発明は、磁気カードを読みとるカードリーダ１０と、このカードリーダ１０で読み取った照合データを照合する照合装置（マスタ）２０と、この照合装置（マスタ）２０の記憶容量を越えた照合データを照合する必要がある場合に、当該照合データを照合する照合装置（スレーブ）３０と、警備状態を制御する警備制御装置４０とから構成されている。
【００１６】
カードリーダ１０は、制御部１１、送受信部１２、操作部１５、表示部１６、錠１７、タイマ１８からなり、操作部１５にて読み取った照合データ（カードデータ）を後述する照合装置２０，３０に出力するように形成されている。制御部１１は、操作部１５から入力したカードデータを送受信部１２に出力するとともに、送受信部１２から入力された照合結果を表示部１６および錠１７に出力するように形成されている。
【００１７】
送受信部１２は、ＲＳ−４８５のバス接続で照合装置（マスタ）２０および照合装置（スレーブ）３０に接続してあり、制御部１１から入力した信号およびデータを出力するように形成されている。操作部１５は、読み取ったカードデータを制御部１１に出力するようになっている。表示部１６は、制御部１１から入力した情報を利用者に表示するようになっている。錠１７は、制御部１１から解錠許可信号を入力すると解錠するようになっている。
【００１８】
照合装置（マスタ）２０は、制御部２１、送受信部２２、照合記憶部２３、送受信部２４、タイマ２８からなり、カードリーダ１０から入力したカードデータを照合し、照合結果をカードリーダ１０および警備制御装置４０に出力するように形成されている。
【００１９】
制御部２１は、送受信部２２よりカードデータを入力すると、警備状態であるか否かを判断し、警備状態である場合には、送受信部２２に警備状態であるために解錠できない旨を示す解錠不可信号を出力する。一方、警備解除状態である場合には、制御部２１は、入力した前記カードデータと照合記憶部２３に記憶している記憶データとを比較照合し、記憶データと一致すると、送受信部２２に解錠を許可する解錠許可信号を出力する。また、制御部２１は、照合記憶部２３に記憶されている記憶データと一致しなかった場合には、計時開始信号をタイマ２８に出力する。
【００２０】
また、制御部２１は、照合装置（スレーブ）３０からカードリーダ１０に対し解錠許可信号が出力されると、計時終了信号をタイマ２８に出力する。照合装置（スレーブ）３０から解錠許可信号が出力されることなくタイマ２８から計時終了信号が入力すると、入力データが照合記憶部２３に記憶されていない旨を示す不解錠信号をカードリーダ１０に出力する。
【００２１】
送受信部２２は、制御部２１から入力した信号を、カードリーダ１０の送受信部１２に出力するとともに、カードリーダ１０の送受信部１２から入力したカードデータおよび信号を制御部２１に出力するように形成されている。
【００２２】
照合記憶部２３は、予め入力されている記憶データを記憶しており、制御部２１が入力したカードデータと記憶データとを比較照合するとき、制御部２１に記憶された記憶データを出力するように形成されている。
【００２３】
送受信部２４は、警備制御装置４０から入力した信号を制御部２１に出力するとともに、制御部２１から入力した信号を警備制御装置４０に出力するように形成されている。
【００２４】
照合装置（スレーブ）３０は、制御部３１、送受信部３２、照合記憶部３３、送受信部３４からなり、カードリーダ１０から入力したカードデータを照合し、照合結果をカードリーダ１０および警備制御装置４０に出力するように形成されている。
【００２５】
制御部３１は、送受信部３２よりカードデータを入力すると、警備状態であるか否かを判断し、警備状態である場合には、送受信部３２に警備状態であるために解錠できない旨を示す解錠不可信号を出力する。一方、警備解除状態である場合には、制御部３１は、入力した前記カードデータと照合記憶部３３に記憶している記憶データとを比較照合し、記憶データと一致すると、送受信部３２に解錠を許可する解錠許可信号を出力する。また、制御部３１は、照合記憶部３３に記憶されている記憶データと一致しなかった場合には、照合を終了する。
【００２６】
送受信部３２は、制御部２１から入力した信号を、カードリーダ１０の送受信部１２に出力するとともに、カードリーダ１０の送受信部１２から入力したカードデータおよび信号を制御部３１に出力するように形成されている。
【００２７】
照合記憶部３３は、予め入力されている記憶データを記憶しており、制御部３１が入力したカードデータと記憶データとを比較照合するとき、制御部３１に記憶された記憶データを出力するように形成されている。
【００２８】
送受信部３４は、警備制御装置４０から入力した信号を制御部３１に出力するとともに、制御部３１から入力した信号を警備制御装置４０に出力するように形成されている。
【００２９】
警備制御装置４０は、警備状態を制御するために、警備状態と警備解除状態とに切り換える警備切換手段を備え、警備状態に連動した出入管理を行うために設けたものである。
【００３０】
つぎにカード照合の動作について説明する。まず、警備状態にある場合について説明する。操作者がカードリーダ１０の操作部１５からカードデータを入力すると（ステップＳ１０１肯定）、カードデータを入力した操作部１５は、制御部１１に前記カードデータを出力する（ステップＳ１０２）とともに、タイマ１８に計時開始信号を出力する（ステップＳ１０３）。
【００３１】
操作部１５よりカードデータを入力した制御部１１は、送受信部１２に前記カードデータを出力する。制御部１１よりカードデータを入力した送受信部１２は、前記カードデータを照合装置（マスタ）２０の送受信部２２と照合装置（スレーブ）３０の送受信部３２に出力する。
【００３２】
カードリーダ１０の送受信部１２よりカードデータを入力した照合装置（マスタ）２０の送受信部２２は、前記カードデータを制御部２１に出力する（ステップＳ１１０肯定）。カードリーダ１０の送受信部１２よりカードデータを入力した照合装置（スレーブ）３０の送受信部３２は、前記カードデータを制御部３１に出力する（ステップＳ１２１肯定）。
【００３３】
送受信部２２よりカードデータを入力した制御部２１は、警備状態であるか否かを判断する（ステップＳ１１１）。警備状態であると（ステップＳ１１１肯定）、送受信部２２に解錠不可信号を出力する（ステップＳ１１２）。送受信部２２よりカードデータを入力した制御部３１は、警備状態であるか否かを判断する（ステップＳ１２２）。警備状態であると（ステップＳ１２２肯定）、照合を終了する（ステップＳ１２６）。
【００３４】
制御部２１より解錠不可信号を入力した送受信部２２は、前記解錠不可信号をカードリーダ１０の送受信部１２に出力する。照合装置（マスタ）２０の送受信部２２から解錠不可信号を入力した送受信部１２は、前記解錠不可信号を制御部１１に出力する。
【００３５】
前記解錠不可信号を入力した制御部１１は、警備状態であるために解錠できない旨を示す表示データを表示部１６に出力し、計時終了信号をタイマ１８に出力する。表示データを入力した表示部１６は、操作者に警備状態であるために解錠できない旨を表示する。また、計時終了信号を入力したタイマ１８は、計時を終了する。
【００３６】
ただし、制御部１１が計時終了信号を入力するまでに、タイマ１８が予め設定した時間を計時して制御部１１に計時終了信号を出力した場合（ステップＳ１０４肯定）、計時終了信号を入力した制御部１１は、送受信部１２に異常信号を出力する（ステップＳ１０７）。異常信号を入力した送受信部１２は、前記異常信号を照合装置（マスタ）２０に出力する。
【００３７】
カードリーダ１０の送受信部１２から異常信号を入力した照合装置（マスタ）２０は、前記異常信号を警備制御装置４０に出力する。異常信号を入力した警備制御装置４０は、遠隔の監視センタ（図示せず）に異常信号を送信する。
【００３８】
つぎに、照合装置（マスタ）２０に記憶データがある場合の動作について説明する。操作者がカードリーダ１０の操作部１５からカードデータを入力すると（ステップＳ１０１肯定）、カードデータを入力した操作部１５は、制御部１１に前記カードデータを出力する（ステップＳ１０２）とともに、タイマ１８に計時開始信号を出力する（ステップＳ１０３）。
【００３９】
操作部１５よりカードデータを入力した制御部１１は、送受信部１２に前記カードデータを出力する。制御部１１よりカードデータを入力した送受信部１２は、前記カードデータを照合装置（マスタ）２０の送受信部２２と照合装置（スレーブ）３０の送受信部３２に出力する。
【００４０】
カードリーダ１０の送受信部１２よりカードデータを入力した照合装置（マスタ）２０の送受信部２２は、前記カードデータを制御部２１に出力する（ステップＳ１１０肯定）。カードリーダ１０の送受信部１２よりカードデータを入力した照合装置（スレーブ）３０の送受信部３２は、前記カードデータを制御部３１に出力する（ステップＳ１２１肯定）。
【００４１】
送受信部２２よりカードデータを入力した制御部２１は、警備状態であるか否かを判断する（ステップＳ１１１）。警備状態でないと（ステップＳ１１１否定）、制御部２１は、照合記憶部２３に記憶されている記憶データと前記カードデータを比較照合する（ステップＳ１１３）。
【００４２】
制御部２１は、記憶部２３に記憶されている記憶データと前記カードデータが一致すると（ステップＳ１１４肯定）、送受信部２２に解錠許可信号を出力する（ステップＳ１１５）。
【００４３】
また、送受信部２２よりカードデータを入力した制御部３１は、警備状態であるか否かを判断する（ステップＳ１２２）。警備状態でないと（ステップＳ１２２否定）、制御部３１は、照合記憶部３３に記憶されている記憶データと前記カードデータを比較照合する（ステップＳ１２３）。
【００４４】
制御部３１は、記憶部３３に記憶されている記憶データと前記カードデータが一致すると（ステップＳ１２４肯定）、送受信部３２に解錠許可信号を出力する（ステップＳ１２５）。また、制御部３１は、記憶部３３に記憶されている記憶データと前記カードデータが一致しなかった場合は（ステップＳ１２４否定）、照合を終了する（ステップＳ１２６）。
【００４５】
解錠許可信号を入力した送受信部２２は、前記解錠許可信号をカードリーダ１０の送受信部１２に出力する。照合装置（マスタ）２０の送受信部２２から解錠許可信号を入力した送受信部１２は、前記解錠許可信号を制御部１１に出力する。そして、送受信部１２から解除許可信号を入力した制御部１１は、錠１７に解錠許可信号を出力し、タイマ１８に計時終了信号を出力する。
【００４６】
解錠許可信号を入力した錠１７は、解錠する（ステップＳ１０６）。ただし、制御部１１が計時終了信号を入力するまでに、タイマ１８が予め設定した時間を計時して制御部１１に計時終了信号を出力した場合には（ステップＳ１０４肯定）、計時終了信号を入力した制御部１１は、送受信部１２に異常信号を出力する（ステップＳ１０７）。異常信号を入力した送受信部１２は、前記異常信号を照合装置（マスタ）２０に出力する。
【００４７】
カードリーダ１０の送受信部１２から異常信号を入力した照合装置（マスタ）２０は、前記異常信号を警備制御装置４０に出力する。異常信号を入力した警備制御装置４０は、遠隔の監視センタ（図示せず）に異常信号を送信する。
【００４８】
つぎに、照合装置（スレーブ）３０に記憶データがある場合の動作について説明する。操作者がカードリーダ１０の操作部１５からカードデータを入力すると（ステップＳ１０１肯定）、カードデータを入力した操作部１５は、制御部１１に前記カードデータを出力する（ステップＳ１０２）とともに、タイマ１８に計時開始信号を出力する（ステップＳ１０３）。
【００４９】
操作部１５よりカードデータを入力した制御部１１は、送受信部１２に前記カードデータを出力する。制御部１１よりカードデータを入力した送受信部１２は、前記カードデータを照合装置（マスタ）２０の送受信部２２と照合装置（スレーブ）３０の送受信部３２に出力する。
【００５０】
カードリーダ１０の送受信部１２よりカードデータを入力した照合装置（マスタ）２０の送受信部２２は、前記カードデータを制御部２１に出力する（ステップＳ１１０肯定）。カードリーダ１０の送受信部１２よりカードデータを入力した照合装置（スレーブ〉３０の送受信部３２は、前記カードデータを制御部３１に出力する（ステップＳ１２１肯定）。
【００５１】
送受信部２２よりカードデータを入力した制御部２１は、警備状態であるか否かを判断する（ステップＳ１１１）。警備状態でないと（ステップＳ１１１否定）、制御部２１は、照合記憶部２３に記憶されている記憶データと前記カードデータを比較照合する（ステップＳ１１３）。そして、制御部２１は、照合記憶部２３に記憶されている記憶データと前記カードデータが一致しなかった場合（ステップＳ１１４否定）、タイマ２８に計時開始信号を出力する（ステップＳ１１６）。
【００５２】
また、送受信部２２よりカードデータを入力した制御部３１は、警備状態であるか否かを判断し（ステップＳ１２２）、警備状態でないので（ステップＳ１２２否定）、照合記憶部３３に記憶されている記憶データと前記カードデータを比較照合する（ステップＳ１２３）。照合記憶部３３に記憶されている記憶データと前記カードデータが一致すると（ステップＳ１２４肯定）、送受信部３２に解錠許可信号を出力する（ステップＳ１２５）。
【００５３】
タイマ２８が予め設定された時間を計時するまでに照合装置（スレーブ）３０から信号が出力されていると（ステップＳ１１９肯定）、照合装置（マスタ）２０の制御部２１は、照合を終了する（ステップＳ１２０）。
【００５４】
照合装置（スレーブ）３０から信号が出力されずにタイマ２８が予め設定された時間を計時すると（ステップＳ１１７肯定）、照合装置（マスタ）２０の制御部２１は、記憶データがなかった旨を示す不解錠信号を送受信２２に出力する（ステップＳ１１８）。制御部２１より不解錠信号を入力した送受信部２２は、前記不解錠信号をカードリーダ１０の送受信部１２に出力する。
【００５５】
照合装置（マスタ）２０の送受信部２２から不解錠信号を入力した送受信部１２は、前記不解錠信号を制御部１１に出力する。前記不解錠信号を入力した制御部１１は、記憶データがなかった旨を示す表示データを表示部１６に出力し、計時終了信号をタイマ１８に出力する。表示データを入力した表示部１６は、記憶データがなかった旨を表示する。また、計時終了信号を入力したタイマ１８は計時を終了する（ステップＳ１０８、ステップＳ１０９）。
【００５６】
ただし、制御部１１が計時終了信号を入力するまでに、タイマ１８が予め設定した時間を計時して制御部１１に計時終了信号を出力した場合（ステップＳ１０４肯定）、計時終了信号を入力した制御部１１は、送受信部１２に異常信号を出力する（ステップＳ１０７）。異常信号を入力した送受信部１２は、前記異常信号を照合装置（マスタ）２０に出力する。
【００５７】
カードリーダ１０の送受信部１２から異常信号を入力した照合装置（マスタ）２０は、前記異常信号を警備制御装置４０に出力する。異常信号を入力した警備制御装置４０は、遠隔の監視センタ（図示せず）に異常信号を送信する。
【００５８】
以上のように、この実施の形態にかかる出入管理システムによれば、照合装置２０，３０間にマスタ／スレーブ関係を作り、カードリーダ１０とバス接続することで照合装置の複数接続を可能にしたため、記憶データの数が増加しても、従来の装置を用いたまま可能登録数を増やすことができる。
【００５９】
また、新たに照合装置（スレーブ）３０を追加する場合も、カードリーダ１０との間をＲＳ−４８５のバス接続すればよく、照合装置（マスタ）２０と照合装置（スレーブ）３０間には配線を必要としないため、配線工事の煩雑さを軽減することができる。
【００６０】
また、上記照合装置２０，３０を警備制御装置４０と接続することで、警備状態に連動した出入管理を行うことが可能となるため、更に確実に出入管理を行うことができる。
【００６１】
なお、上記実施の形態においては、個人識別方法として磁気カードを用いた場合について説明したが、これに限定されず、非接触カード等のＩＤカードや、指紋、網膜パターン等の生体情報を用いて個人識別を行ってもよい。
【００６２】
また、照合装置（スレーブ）３０が１つである場合について説明したが、複数の照合装置（スレーブ）３０を接続することによって、更に登録可能数を増やすことが可能である。この場合、カードリーダ１０からの信号に対して、各照合装置（スレーブ）３０が一斉に照合動作を行うので、膨大なメモリユニットを増設した１つの照合装置（マスタ）２０で照合動作を行う場合に比較して、照合結果を迅速にカードリーダ１０側に送信することができる。
【００６３】
また、照合装置（スレーブ）３０に対してメモリユニットの増設が可能な場合には、当該照合装置（スレーブ）３０における照合時間を短縮するために、たとえば、頻繁に照合される登録コードについては、優先的に照合順を繰り上げるといった登録コードの並び替えを行ってもよい。
【００６４】
【発明の効果】
以上説明したように、この発明にかかる出入管理システムによれば、出入管理を行う出入口付近に解錠装置を有して設置され、個人識別のための照合データを入力する照合データ入力装置と、出入りを許可されている者の一または二以上の前記照合データを予め記憶データとして登録してある二以上の照合装置とを備え、前記照合データ入力装置から入力された照合データと前記照合装置の記憶データとを照合することにより個人を識別し出入管理を行う出入管理システムにおいて、前記照合装置のうち一の照合装置は、マスタ照合装置として設定され、他の照合装置は、当該マスタ照合装置の記憶容量を超えて存在する記憶データを記憶するスレーブ照合装置として設定され、前記マスタ照合装置は、前記照合データ入力装置から入力された前記照合データと前記記憶データとを照合し、当該照合データと当該記憶データとが一致したときには、当該照合データ入力装置に解錠許可信号を送信し、当該照合データと当該記憶データとが一致しなかったときには、前記スレーブ照合装置から前記照合データ入力装置に解錠許可信号が送信されていないことを確認して当該照合データ入力装置に不解錠信号を送信し、前記スレーブ照合装置は、前記照合データ入力装置から入力された前記照合データと前記記憶データとを照合し、当該照合データと当該記憶データとが一致したときには、当該照合データ入力装置に解錠許可信号を送信するようにしたので、照合装置間にマスタ／スレーブ関係を作り、照合データ入力装置とバス接続（たとえば、ＲＳ−４８５のバス接続）することで照合装置の複数接続を可能にでき、記憶データの数が増加しても、従来の装置を用いたまま可能登録数を増やすことができる。
【００６５】
また、新たにスレーブ照合装置を追加する場合も、照合データ入力装置との間をバス接続すればよく、マスタ照合装置とスレーブ照合装置間には配線を必要としないため、配線工事の煩雑さを軽減することができる。
【００６６】
また、つぎの発明にかかる出入管理システムによれば、出入管理を行う出入口付近に解錠装置を有して設置され、個人識別のための照合データを入力する照合データ入力装置と、出入りを許可されている者の一または二以上の前記照合データを予め記憶データとして登録してある二以上の照合装置と、少なくとも警備状態と警備解除状態に切り換える警備切換手段を有する警備制御装置とを備え、前記照合データ入力装置から入力された照合データと前記照合装置の記憶データとを照合することにより個人を識別し出入管理を行う出入管理システムにおいて、前記照合装置のうち一の照合装置は、マスタ照合装置として設定され、他の照合装置は、当該マスタ照合装置の記憶容量を超えて存在する記憶データを記憶するスレーブ照合装置として設定され、前記マスタ照合装置は、前記警備制御装置が警備状態に設定されているときに前記照合データ入力装置から前記照合データが入力されると、当該照合データ入力装置に解錠不可信号を送信し、前記警備制御装置が警備状態に設定されていないときに前記照合データ入力装置から前記照合データが入力されると、当該照合データと前記記憶データとを照合し、当該照合データと当該記憶データとが一致したときには、当該照合データ入力装置に解錠許可信号を送信し、当該照合データと当該記憶データとが一致しなかったときには、前記スレーブ照合装置から前記照合データ入力装置に解錠許可信号が送信されていないことを確認して当該照合データ入力装置に不解錠信号を送信し、前記スレーブ照合装置は、前記警備制御装置が警備状態に設定されていないときに前記照合データ入力装置から前記照合データが入力されると、当該照合データと前記記憶データとを照合し、当該照合データと当該記憶データとが一致したときには、当該照合データ入力装置に解錠許可信号を送信するようにしたので、マスタ照合装置およびスレーブ照合装置を警備制御装置と接続することで、警備状態に連動した出入管理を行うことが可能となり、更に確実に出入管理を行うことができる。
【００６７】
また、つぎの発明にかかる出入管理システムによれば、照合データは、出入者の有する磁気カード、非接触カード等のＩＤデータと、指紋、網膜パターン等の生体特徴データのうち、一つのデータまたはこれらの任意の組合せのデータからなるようにしたので、セキュリティレベルに応じた出入管理システムを容易に構成できる。
【図面の簡単な説明】
【図１】この発明の実施の形態にかかる出入管理システムを示すブロック図である。
【図２】カードリーダの動作を示すフローチャートである。
【図３】照合装置（マスタ）の動作を示すフローチャートである。
【図４】照合装置（スレーブ）の動作を示すフローチャートである。
【符号の説明】
１０  カードリーダ
１１，２１，３１  制御部
１２，２２，２４，３２，３４  送受信部
１５  操作部
１６  表示部
１７  錠
１８，２８  タイマ
２０  照合装置（マスタ）
２３，３３  照合記憶部
３０  照合装置（スレーブ）
４０  警備制御装置
【図１】
0004489240.tif 000002
【図２】
0004489240.tif 000003
【図３】
0004489240.tif 000004
【図４】
0004489240.tif 000005